(57)【要約】【課題】  空き容量が不足する場合でも映像番組を全て記録する。【解決手段】  入力部１００、映像信号抽出部１０１を経て地上波デジタル放送より固定受信機向け放送のトランスポートストリームＴＳ１０１と移動体受信機向けのトランスポートストリームＴＳ１０２とが抽出される。また、空き容量検出部１０５，記録容量算出部１０６で、記録媒体１０４の空き容量，ＴＳ１０１によって映像番組を記録するために必要な記録容量が得られる。映像信号制御部１０７の比較結果で、空き容量が記録容量よりも小さい場合には、映像信号選択部はＴＳ１０２を選択して、記録部は、選択されたＴＳ１０２を記録媒体に記録する。【選択図】  図１ 
2005033622.tif 000002
【特許請求の範囲】
【請求項１】
符号化された映像信号（符号化映像信号）を記録媒体に記録する装置であって、
前記記録媒体の空き容量を検出する空き容量検出部と、
ある映像番組を第１の符号化映像信号によって前記記録媒体に記録するために必要な記録容量を算出する記録容量算出部と、
前記空き容量検出部で検出された空き容量と前記記録容量算出部で算出された記録容量とを比較する映像信号制御部と、
前記映像信号制御部による比較の結果に応じて、前記第１の符号化映像信号および第２の符号化映像信号のうち少なくとも１つを選択する映像信号選択部と、
前記映像信号選択部で選択された符号化映像信号を前記記録媒体に記録する記録部とを備え、
前記第１の符号化映像信号は、
前記映像番組を第１の圧縮率で圧縮符号化したものであり、
前記第２の符号化映像信号は、
前記映像番組を前記第１の圧縮率よりも高い第２の圧縮率で圧縮符号化したものであることを特徴とする映像信号記録装置。
【請求項２】
請求項１において、
前記第１の符号化映像信号と前記第２の符号化映像信号とが多重化された信号より前記第１の符号化映像信号と前記第２の符号化映像信号とを分離する映像信号分離部をさらに備え、
前記映像信号選択部は
前記映像信号分離部で分離された第１の符号化映像信号および第２の符号化映像信号のうち少なくとも１つを前記映像信号制御部による比較の結果に応じて選択する
ことを特徴とする映像信号記録装置。
【請求項３】
請求項１において、
前記映像信号選択部は、
前記第１の符号化映像信号と前記第２の符号化映像信号とが多重化された信号より前記第１の符号化映像信号および前記第２の符号化映像信号のうち少なくとも１つを抽出し、
前記記録部は、
前記映像信号選択部で抽出された符号化映像信号を前記記録媒体に記録する
ことを特徴とする映像信号記録装置。
【請求項４】
請求項１において、
前記第１の符号化映像信号は、ＭＰＥＧ２に従って圧縮符号化された映像信号であり、
前記第２の符号化映像信号は、ＭＰＥＧ４に従って圧縮符号化された映像信号である
ことを特徴とする映像信号記録装置。
【請求項５】
請求項１において、
前記第１の符号化映像信号は、
地上波デジタル放送の１２セグメントを使用した固定受信機向けの映像信号であり、
前記第２の符号化映像信号は、
地上波デジタル放送の１セグメントを使用した携帯受信機向けの映像信号である
ことを特徴とする映像信号記録装置
【請求項６】
請求項１において、
前記記録容量算出部は、
優先度が与えられた特定の映像番組を前記第１の符号化映像信号によって前記記録媒体
に記録するために必要な記録容量を算出し、
前記映像信号選択部は、
前記映像信号制御部による比較の結果に応じて、前記優先度が所定の値より高い映像番組に対しては前記第１の符号化映像信号を選択しかつ前記優先度が前記所定の値以下の映像番組に対しては前記第２の符号化映像信号を選択する
ことを特徴とする映像信号記録装置。
【請求項７】
請求項６において、
前記記録容量算出部は、
前記所定の値よりも優先度が高い映像番組を前記第１の符号化映像信号によって記録しかつ優先度が前記所定の値以下の映像番組を前記第２の符号化映像信号によって記録するために必要な記録容量を算出し、
前記映像信号選択部は、
前記映像信号制御部で空き容量が記録容量よりも大きいと判断されたとき、前記優先度が所定の値よりの高い映像番組に対しては前記第１の符号化映像信号を選択し、前記優先度が前記所定の値以下の映像番組に対しては前記第２の符号化映像信号を選択し、
前記装置は、
前記映像信号制御部で空き容量が記録容量よりも小さいと判断されたとき、前記所定の値を変更する優先度設定部をさらに備える
ことを特徴とする映像信号記録装置。
【請求項８】
請求項１において、
前記映像番組の延長時間を取得する延長時間取得部をさらに備え、
前記記録容量算出部は、
前記延長時間取得部で取得された延長時間を考慮して前記映像番組を前記第１の符号化映像信号によって記録するために必要な記録時間を算出する
ことを特徴とする映像信号記録装置。
【請求項９】
請求項１において、
各映像番組に対して前記映像信号選択部で前記第１の符号化映像信号または前記第２の符号化映像信号のどちらが選択されたのかを表示する表示部をさらに備える
ことを特徴とする映像信号記録装置。
【請求項１０】
請求項１において、
前記空き容量検出部、前記記録容量算出部、および前記映像信号制御部は、
前記記録部が記録媒体に前記映像信号選択部で選択された符号化映像信号を記録する処理と並行して動作し、
前記記録容量算出部は、
前記記録媒体に記録すべき映像番組のうち未だ記録媒体に記録されていない部分を前記第１の符号化映像信号によって前記記録媒体に記録するために必要な記録容量を算出することを特徴とする映像信号記録装置。
【請求項１１】
請求項１０において、
前記映像番組のコマーシャルを検出するコマーシャル検出部をさらに備え、
前記映像信号選択部は、
前記映像信号制御部による比較の結果に応じて、前記コマーシャル検出部でコマーシャルが検出されている期間に前記第１の符号化映像信号または前記第２の符号化映像信号を選択する。
ことを特徴とする映像信号記録装置。
【請求項１２】
請求項１０において、
前記映像信号選択部は、
現在選択している符号化映像信号に加えて現在選択されていない符号化映像信号を前記映像信号制御部による比較の結果に応じて一定期間前記記録部へ出力した後に、２つの符号化映像信号のうち先に選択された符号化映像信号の出力を中断しかつ後に選択された符号化映像信号の出力を継続し、
前記記録部は、
前記映像信号選択部で出力された符号化映像信号を前記記録媒体に記録する
ことを特徴とする映像信号記録装置。
【請求項１３】
請求項１０において、
前記映像信号選択部で現在選択されていない符号化映像信号よりＧＯＰの先頭を検出するＧＯＰ検出部をさらに備え、
前記映像信号選択部は、
前記映像信号制御部による比較の結果に応じて、ＧＯＰ検出部でＧＯＰの先頭が検出された直後に前記ＧＯＰの先頭が検出された方の符号化映像信号を選択する
ことを特徴とする映像信号記録装置。
【請求項１４】
符号化された映像信号（符号化映像信号）を記録媒体に記録する方法であって、
前記記録媒体の空き容量を検出する空き容量検出ステップと、
ある映像番組を第１の符号化映像信号によって前記記録媒体に記録するために必要な記録容量を算出する記録容量算出ステップと、
前記空き容量検出ステップで検出された空き容量と前記記録容量算出ステップで算出された記録容量とを比較する映像信号制御ステップと、
前記映像信号制御ステップによる比較の結果に応じて、前記第１の符号化映像信号および第２の符号化映像信号のうち少なくとも１つを選択する映像信号選択ステップと、
前記映像信号選択ステップで選択された符号化映像信号を前記記録媒体に記録する記録ステップとを備え、
前記第１の符号化映像信号は、
前記映像番組を第１の圧縮率で圧縮符号化したものであり、
前記第２の符号化映像信号は、
前記映像番組を前記第１の圧縮率よりも高い第２の圧縮率で圧縮符号化したものであることを特徴とする映像信号記録方法。
【請求項１５】
請求項１４において、
前記第１の符号化映像信号と前記第２の符号化映像信号とが多重化された信号より前記第１の符号化映像信号と前記第２の符号化映像信号とを分離する映像信号分離ステップをさらに備え、
前記映像信号選択ステップは
前記映像信号分離ステップで分離された第１の符号化映像信号および第２の符号化映像信号のうち少なくとも１つを前記映像信号制御ステップによる比較の結果に応じて選択する
ことを特徴とする映像信号記録方法。
【請求項１６】
請求項１４において、
前記映像信号選択ステップは、
前記第１の符号化映像信号と前記第２の符号化映像信号とが多重化された信号より前記第１の符号化映像信号および前記第２の符号化映像信号のうち少なくとも１つを抽出し、
前記記録ステップは、
前記映像信号選択ステップで抽出された符号化映像信号を前記記録媒体に記録する
ことを特徴とする映像信号記録方法。
【請求項１７】
請求項１４において、
前記第１の符号化映像信号は、ＭＰＥＧ２に従って圧縮符号化された映像信号であり、
前記第２の符号化映像信号は、ＭＰＥＧ４に従って圧縮符号化された映像信号である
ことを特徴とする映像信号記録方法。
【請求項１８】
請求項１４において、
前記第１の符号化映像信号は、
地上波デジタル放送の１２セグメントを使用した固定受信機向けの映像信号であり、
前記第２の符号化映像信号は、
地上波デジタル放送の１セグメントを使用した携帯受信機向けの映像信号である
ことを特徴とする映像信号記録方法
【請求項１９】
請求項１４において、
前記記録容量算出ステップは、
優先度が与えられた特定の映像番組を前記第１の符号化映像信号によって前記記録媒体に記録するために必要な記録容量を算出し、
前記映像信号選択ステップは、
前記映像信号制御ステップによる比較の結果に応じて、前記優先度が所定の値より高い映像番組に対しては前記第１の符号化映像信号を選択しかつ前記優先度が前記所定の値以下の映像番組に対しては前記第２の符号化映像信号を選択する
ことを特徴とする映像信号記録方法。
【請求項２０】
請求項１９において、
前記記録容量算出ステップは、
前記所定の値よりも優先度が高い映像番組を前記第１の符号化映像信号によって記録しかつ優先度が前記所定の値以下の映像番組を前記第２の符号化映像信号によって記録するために必要な記録容量を算出し、
前記映像信号選択ステップは、
前記映像信号制御ステップで空き容量が記録容量よりも大きいと判断されたとき、前記優先度が所定の値よりの高い映像番組に対しては前記第１の符号化映像信号を選択し、前記優先度が前記所定の値以下の映像番組に対しては前記第２の符号化映像信号を選択し、
前記方法は、
前記映像信号制御ステップで空き容量が記録容量よりも小さいと判断されたとき、前記所定の値を変更する優先度設定ステップをさらに備える
ことを特徴とする映像信号記録方法。
【請求項２１】
請求項１４において、
前記映像番組の延長時間を取得する延長時間取得ステップをさらに備え、
前記記録容量算出ステップは、
前記延長時間取得ステップで取得された延長時間を考慮して前記映像番組を前記第１の符号化映像信号によって記録するために必要な記録時間を算出する
ことを特徴とする映像信号記録方法。
【請求項２２】
請求項１４において、
各映像番組に対して前記映像信号選択ステップで前記第１の符号化映像信号または前記第２の符号化映像信号のどちらが選択されたのかを表示する表示ステップをさらに備えることを特徴とする映像信号記録方法。
【請求項２３】
請求項１４において、
前記空き容量検出ステップ、前記記録容量算出ステップ、および前記映像信号制御ステップは、
前記記録ステップが記録媒体に前記映像信号選択ステップで選択された符号化映像信号を記録する処理と並行して動作し、
前記記録容量算出ステップは、
前記記録媒体に記録すべき映像番組のうち未だ記録媒体に記録されていない部分を前記第１の符号化映像信号によって前記記録媒体に記録するために必要な記録容量を算出することを特徴とする映像信号記録方法。
【請求項２４】
請求項２３において、
前記映像番組のコマーシャルを検出するコマーシャル検出ステップをさらに備え、
前記映像信号選択ステップは、
前記映像信号制御ステップによる比較の結果に応じて、前記コマーシャル検出ステップでコマーシャルが検出されている期間に前記第１の符号化映像信号または前記第２の符号化映像信号を選択する。
ことを特徴とする映像信号記録方法。
【請求項２５】
請求項２３において、
前記映像信号選択ステップは、
現在選択している符号化映像信号に加えて現在選択されていない符号化映像信号を前記映像信号制御ステップによる比較の結果に応じて一定期間前記記録ステップへ出力した後に、２つの符号化映像信号のうち先に選択された符号化映像信号の出力を中断しかつ後に選択された符号化映像信号の出力を継続し、
前記記録ステップは、
前記映像信号選択ステップで出力された符号化映像信号を前記記録媒体に記録する
ことを特徴とする映像信号記録方法。
【請求項２６】
請求項２３において、
前記映像信号選択ステップで現在選択されていない符号化映像信号よりＧＯＰの先頭を検出するＧＯＰ検出ステップをさらに備え、
前記映像信号選択ステップは、
前記映像信号制御ステップによる比較の結果に応じて、ＧＯＰ検出ステップでＧＯＰの先頭が検出された直後に前記ＧＯＰの先頭が検出された方の符号化映像信号を選択する
ことを特徴とする映像信号記録方法。
【発明の詳細な説明】
【技術分野】
【０００１】
この発明は、映像・音声データを記録媒体に記録する映像信号記録装置および方法に関し、さらに、圧縮率の異なる符号化映像信号のうち適当な符号化映像信号を選択してその符号化映像信号を記録媒体に記録する装置および方法に関する。
【背景技術】
【０００２】
従来の映像・音声信号の記録・再生装置として、映像・音声信号をＭＰＥＧ（Ｍｏｔｉｏｎ Ｐｉｃｔｕｒｅ Ｅｘｐｅｒｔｓ Ｇｒｏｕｐ）圧縮符号化して記録媒体に記録する
ＤＶＤレコーダ、ハードディスクレコーダなどがある。
【０００３】
映像番組を録画する時に記録媒体の空き容量が不足した場合、映像信号を圧縮符号化す
る時の圧縮率を高めて符号化データのサイズを削減することにより、映像番組の全体を記録する記録・再生する装置として、特開平９−２８４７１５号公報（特許文献１）に記載されている映像の符号化記録・再生装置がある。
【０００４】
図２６は、従来の記録・再生装置の構成を示すブロック図である。この装置は、映像信号入力手段１０と、圧縮符号化手段２０と、記録手段３０と、記録媒体４０と、空き容量検出手段５０と、録画時間指定手段６０と、空き容量不足度合算出手段７０とを備える。
【０００５】
図２６に示した記録・再生装置が映像番組を録画する場合、空き容量検出手段５０が検出した記録媒体の空き容量と、録画時間指定手段６０に指定された録画時間から、空き容量不足度合算出手段７０が算出した空き容量の不足度合いに応じて、圧縮符号化手段２０が映像信号を圧縮符号化する時の圧縮率を変えることにより、記録媒体の空き容量が不足する場合でも、映像番組全体を記録することができる。
現在ＢＳおよびＣＳデジタル放送が放送されており、さらに２００３年末から地上波デジタル放送が開始される予定である。
【０００６】
デジタル放送で受信した映像番組を記録する場合を考えると、デジタル放送では映像番組はＭＰＥＧ圧縮符号化されて放送されている。
【０００７】
このため、従来の記録・再生装置において、記録媒体の空き容量が不足する場合、ＭＰＥＧ圧縮された映像番組を一度復号化した後に、空き容量の不足度合いに応じて再度圧縮符号化する必要がある。
【０００８】
図２７は、デジタル放送のＭＰＥＧ圧縮符号化された映像番組を記録する場合における従来の記録・再生装置の構成を示すブロック図である。この装置は、図２６に示した記録・再生装置に加えて、復号化手段８０を備える。復号化手段８０がデジタル放送の映像番組を一度復号化した後、空き容量不足度合算出手段７０が算出した空き容量の不足度合いに応じて、圧縮符号化手段２０が映像信号を圧縮符号化する場合の圧縮率を変える。つまり、記録媒体が不足した時にデジタル放送の映像番組を記録する場合には、復号化手段７０と符号化手段８０が必要である。
【特許文献１】特開平９−２８４７１５号公報
【特許文献２】特開２０００−２０９５５３号公報
【発明の開示】
【発明が解決しようとする課題】
【０００９】
一方、２０１０年以降には地上波アナログ放送が廃止される予定であり、デジタル放送
のみであれば記録・再生装置はＭＥＰＧ圧縮符号化された映像番組をそのまま記録媒体に記録すればよく、圧縮符号化手段を装備する必要はなくなる。
【００１０】
このため、記録容量が不足する場合に圧縮率を変えるために符号化手段を装備する必要があり、記録・再生装置はコスト高となる。
【００１１】
また、映像番組を視聴するためには復号化手段８０が必要であるが、記録容量が不足する場合に圧縮率を変えるためにも復号化手段８０が必要であり、ある番組を視聴しながら別の映像番組を記録する裏録画を行うためには、復号化手段８０を２つ装備するが必要があり、記録・再生装置はコスト高となる。
【００１２】
この発明の目的は、記録容量が不足する場合に圧縮符号化手段を装備することなく所望する映像番組を記録することができ、さらに裏録画（再生と並行して録画）する場合に復号化手段を２つ装備する必要がなく、コストを削減できる映像信号記録装置を提供することである。
【課題を解決するための手段】
【００１３】
この発明の１つの局面に従うと、映像信号記録装置は、符号化された映像信号（符号化映像信号）を記録媒体に記録する。上記装置は、空き容量検出部と、記録容量算出部と、映像信号制御部と、映像信号選択部と、記録部とを備える。空き容量検出部は、記録媒体の空き容量を検出する。記録容量算出部は、ある映像番組を第１の符号化映像信号によって記録媒体に記録するために必要な記録容量を算出する。映像信号制御部は、空き容量検出部で検出された空き容量と記録容量算出部で算出された記録容量とを比較する。映像信号選択部は、映像信号制御部による比較の結果に応じて第１の符号化映像信号および第２の符号化映像信号のうち少なくとも１つを選択する。記録部は、映像信号選択部で選択された符号化映像信号を記録媒体に記録する。第１の符号化映像信号は、上記映像番組を第１の圧縮率で圧縮符号化したものである。第２の符号化映像信号は、上記映像番組を第１の圧縮率よりも高い第２の圧縮率で圧縮符号化したものである。
【００１４】
上記映像信号記録装置では、映像信号制御部は空き容量が記録容量よりも大きいか否かを判断する。映像信号選択部は、映像信号制御部で空き容量が記録容量より大きいと判断されたとき、第１の符号化映像信号を選択する。一方、映像信号選択部は、映像信号制御部で空き容量が記録容量よりも小さいと判断されたとき、第２の符号化映像信号を選択する。よって、記録部は、空き容量が記録容量よりも大きいときには第１の符号化映像信号によって映像番組を記録媒体に記録し、空き容量が記録容量よりも小さいときには第２の符号化映像信号によって映像番組を記録媒体に記録する。このように、上記装置は、空き容量が記録容量よりも小さいときに第１の符号化映像信号よりも圧縮率が高い第２の符号化映像信号によって映像番組を記録媒体に記録することにより、空き容量が不足する場合でも全ての映像番組を記録媒体に記録することができる。また、従来のように復号化手段と符号化手段とを装備する必要がなく、低コストの映像信号記録装置を提供することができる。
【００１５】
好ましくは、上記映像信号記録装置は、映像信号分離部をさらに備える。映像信号分離部は、上記第１の符号化映像信号と上記第２の符号化映像信号とが多重化された信号より第１の符号化映像信号と第２の符号化映像信号とを分離する。上記映像信号選択部は、映像信号制御部による比較の結果に応じて、映像信号分離部で分離された第１の符号化映像信号および第２の符号化映像信号のうち少なくとも１つを選択する。
【００１６】
好ましくは、上記映像信号選択部は、映像信号制御部による比較の結果に応じて、上記第１の符号化映像信号と上記第２の符号化映像信号とが多重化された信号より第１の符号
化映像信号および第２の符号化映像信号のうち少なくとも１つを抽出する。上記記録部は、映像信号選択部で抽出された符号化映像信号を記録媒体に記録する。
【００１７】
好ましくは、上記第１の符号化映像信号は、ＭＰＥＧ２に従って圧縮符号化された映像信号であり、上記第２の符号化映像信号は、ＭＰＥＧ４に従って圧縮符号化された映像信号である。
【００１８】
好ましくは、上記第１の符号化映像信号は地上波デジタル放送の１２セグメントを使用した固定受信機向けの映像信号であり、上記第２の符号化映像信号は地上波デジタル放送の１セグメントを使用した携帯受信機向けの映像信号である。
【００１９】
好ましくは、上記記録容量算出部は、優先度が与えられた特定の映像番組を第１の符号化映像信号によって記録媒体に記録するために必要な記録容量を算出する。上記映像信号選択部は、上記映像信号制御部による比較の結果に応じて、優先度が所定の値よりも高い映像番組に対しては第１の符号化映像信号を選択しかつ優先度が所定の値以下の映像番組に対しては第２の符号化映像信号を選択する。
【００２０】
上記映像信号記録装置では、映像信号選択部は、空き容量が記録容量よりも大きいか否かを判断する。映像信号選択部は、映像信号制御部で空き容量が記録容量よりも大きいと判断されたとき、第１の符号化映像信号を選択する。一方、映像信号選択部は、映像信号選択部で空き容量が記録容量よりも小さいと判断されたとき、優先度が所定の値（しきい値）よりも高い映像番組に対しては第１の符号化映像信号を選択しかつ優先度が所定の値（しきい値）以下の映像番組に対しては第２の符号化映像信号を選択する。つまり、上記装置は、優先度が所定の値（しきい値）よりも高い番組を第１の符号化映像信号によって記録しかつ優先度が所定の値（しきい値）以下の映像番組を第１の符号化映像信号よりも圧縮率が高い第２の符号化映像信号によって記録する。また、第１の符号化映像信号によって記録された映像番組は、第２の符号化映像信号によって記録された映像番組よりも画質がよい。これにより、優先度が低い映像番組と比較すると優先度が高い番組を高画質のまま記録することができる。
【００２１】
好ましくは、上記映像記録装置はさらに、優先度設定部を備える。上記記録容量算出部は、所定の値よりも優先度が高い映像番組を第１の符号化映像信号によって記録しかつ優先度が所定の値以下の映像番組を第２の符号化映像信号によって記録するために必要な記録容量を算出する。上記映像信号選択部は、上記映像信号制御部で空き容量が記録容量よりも大きいと判断されたとき、優先度が所定の値よりも高い映像番組に対しては第１の符号化映像信号を選択しかつ優先度が所定の値以下の映像番組に対しては第２の符号化映像信号を選択する。優先度設定部は、上記映像信号制御部で空き容量が記録容量よりも小さいと判断されたとき、所定の値を変更する。
【００２２】
上記映像信号記録装置では、優先度設定部は、空き容量が記録容量よりも大きくなるように、所定の値（しきい値）を変更する。これにより、優先度が低い映像番組と比較すると優先度が高い番組を高画質のまま記録することができ、さらに所望の映像番組（優先度が与えられた特定の映像番組）を全て記録することができる。
【００２３】
好ましくは、上記映像信号記録装置はさらに、延長時間取得部を備える。延長時間取得部は、映像番組の延長時間を取得する。上記記録容量算出部は、延長時間取得部で取得された延長時間を考慮して映像番組を第１の符号化映像信号によって記録するために必要な記録容量を算出する。
【００２４】
上記映像信号記録装置では、記録容量算出部は、第１の符号化映像信号の符号化ビット
レートと映像番組の時間長（放送時間）とを用いて記録容量を算出する。その映像番組の時間長（放送時間）には、延長時間取得部で取得された延長時間が含まれている。つまり、記録容量算出部は、第１の符号化映像信号の符号化ビットレートと延長時間を含む放送時間とを用いて記録容量を算出する。これにより、映像番組が延長された場合でも映像番組全体を記録することができる。
【００２５】
好ましくは、上記映像信号記録装置はさらに、表示部を備える。表示部は、上記映像信号選択部で各映像番組に対して第１の符号化映像信号または第２の符号化映像信号のどちらが選択されたかを表示する。
【００２６】
好ましくは、上記空き容量検出部、上記記録容量算出部、および上記映像信号制御部は、上記記録部が前記映像信号選択部で選択された符号化映像信号を記録媒体に記録する処理と並行して動作する。上記記録容量算出部は、記録媒体に記録すべき映像番組のうち未だ記録媒体に記録されていない部分を第１の符号化映像信号によって記録媒体に記録するために必要な記録容量を算出する。
【００２７】
上記映像信号記録装置では、空き容量検出部、記録容量検出部、および映像信号制御部は動的に動作する。つまり、映像信号選択部で符号化映像信号が選択された後も、空き容量と記録容量とを比較してその都度符号化映像信号を選択する。これにより、空き容量や記録容量の動的変化に応じてその都度適切な符号化映像信号に切り替えることができる。
【００２８】
好ましくは、上記映像信号記録装置は、コマーシャル検出部をさらに備える。コマーシャル検出部は、映像番組のコマーシャルを検出する。上記映像信号選択部は、上記映像信号制御部による比較の結果に応じて、コマーシャル検出部でコマーシャルが検出されている間に第１の符号化映像信号または第２の符号化映像信号を選択する。
【００２９】
記録される映像番組の画質は、符号化映像信号を切り替える前後で変化する。符号化映像信号が映像番組の途中で切り替えられて記録媒体に記録された場合、その映像番組を再生するときに映像番組の画質は番組の途中で変化する。また、符号化映像信号を切り替えた部分で、映像が途切れてしまう場合がある。
【００３０】
上記映像信号記録装置では、映像信号選択部は、コマーシャル部分で符号化映像信号を切り替える。例えば、映像信号選択部で第１の符号化映像信号が選択されているとする。次に、上記映像信号制御部は、空き容量が記録容量よりも小さいと判断したとする。次に映像信号選択部は、コマーシャル検出部でコマーシャルが検出されている期間に第２の符号化映像信号に切り替える。つまり、映像信号制御部で空き容量が記録容量よりも小さいと判断されても、コマーシャル検出部でコマーシャルが検出されていない期間では、符号化映像信号を切り替えない。これにより、画質の変化や映像の途切れがコマーシャル部分で発生するが、映像番組の内容を示す重要な部分ではこれらの発生を防ぐことができる。
【００３１】
好ましくは、上記映像信号選択部は、現在選択している符号化映像信号に加えて現在選択されていない符号化映像信号を前記映像信号制御部による比較の結果に応じて一定期間前記記録部へ出力した後に、２つの符号化映像信号のうち先に選択された符号化映像信号の出力を中断しかつ後に選択された符号化映像信号の出力を継続する。上記記録部は、映像信号選択部で出力された符号化映像信号を記録媒体に記録する。
【００３２】
上記映像信号記録装置では、映像信号選択部は、符号化映像信号を切り替えるときに、一定期間両方の符号化映像信号（第１の符号化映像信号，第２の符号化映像信号）を記録部へ出力する。その後に、映像信号選択部は、後に選択した符号化映像信号を出力する。例えば、まず、映像信号選択部で第１の符号化映像信号が選択されているとする。次に、
映像信号選択部は、映像信号制御部で、空き容量が記録容量よりも小さいと判断されたときに、第１の符号化映像信号に加えて第２の符号化映像信号を一定期間記録部へ出力する。次に、映像信号選択部は、第１の符号化映像信号の出力を中断しかつ第２の符号化映像信号の出力を継続する。つまり、一定期間両方の符号化映像信号を出力した後に第２の符号化映像信号のみを出力する。これにより、映像番組を途切れることなく記録媒体に記録することができる。
【００３３】
好ましくは、上記映像信号記録装置は、ＧＯＰ検出部をさらに備える。ＧＯＰ検出部は、現在選択されていない符号化映像信号よりＧＯＰの先頭を検出する。上記映像信号選択部は、上記映像信号制御部による比較の結果に応じてＧＯＰ検出部でＧＯＰが検出された直後にＧＯＰ検出部でＧＯＰの先頭がされた方の符号化映像信号を選択する。
【００３４】
上記映像信号記録装置では、例えば、まず、映像信号選択部は、第１の符号化映像信号を選択しているとする。次に、上記映像信号制御部は、空き容量が記録容量よりも小さいと判断したとする。次に、映像信号選択部は、ＧＯＰ検出部で第２の符号化映像信号よりＧＯＰの先頭が検出されてから、第２の符号化映像信号に切り替える。つまり、映像信号選択部は、映像信号制御部で空き容量が記録容量よりも小さいと判断されても、ＧＯＰ検出部で第２の符号化映像信号に含まれるＧＯＰの先頭が検出されるまで、第２の符号化映像信号に切り替えない。これにより、映像番組を途切れることなく記録媒体に記録することができる。
【００３５】
この発明のもう１つの局面に従うと、映像信号記録方法は、空き容量検出ステップと、記録容量算出ステップと、映像信号制御ステップと、映像信号選択ステップと、記録ステップとを備える。空き容量検出ステップは、記録媒体の空き容量を検出する。記録容量算出ステップは、ある映像番組を第１の符号化映像信号によって記録媒体に記録するために必要な記録容量を算出する。映像信号制御ステップは、空き容量検出ステップで検出された空き容量と記録容量算出ステップで算出された記録容量とを比較する。映像信号選択ステップは、映像信号制御の比較結果に応じて第１の符号化映像信号および第２の符号化映像信号のうち少なくとも１つを選択する。記録ステップは、映像信号選択ステップで選択された符号化映像信号を記録媒体に記録する。第１の符号化映像信号は、上記映像番組を第１の圧縮率で圧縮符号化したものである。第２の符号化映像信号は、上記映像番組を第１の圧縮率よりも高い第２の圧縮率で圧縮符号化したものである。
【００３６】
上記映像信号記録方法では、映像信号制御ステップは空き容量が記録容量よりも大きいか否かを判断する。映像信号選択ステップは、映像信号制御ステップで空き容量が記録容量より大きいと判断されたとき、第１の符号化映像信号を選択する。一方、映像信号選択ステップは、映像信号制御ステップで空き容量が記録容量よりも小さいと判断されたとき、第２の符号化映像信号を選択する。よって、記録ステップは、空き容量が記録容量よりも大きいときには第１の符号化映像信号によって映像番組を記録媒体に記録し、空き容量が記録容量よりも小さいときには第２の符号化映像信号によって映像番組を記録媒体に記録する。このように、上記方法は、空き容量が記録容量よりも小さいときに第１の符号化映像信号よりも圧縮率が高い第２の符号化映像信号によって映像番組を記録媒体に記録することにより、空き容量が不足する場合でも全ての映像番組を記録媒体に記録することができる。また、従来のように復号化手段と符号化手段とを装備する必要がなく、低コストの映像信号記録方法を提供することができる。
【００３７】
好ましくは、上記映像信号記録方法は、映像信号分離ステップをさらに備える。映像信号分離ステップは、上記第１の符号化映像信号と上記第２の符号化映像信号とが多重化された信号より第１の符号化映像信号と第２の符号化映像信号とを分離する。上記映像信号選択ステップは、映像信号制御ステップの比較結果に応じて、映像信号分離ステップで分
離された第１の符号化映像信号および第２の符号化映像信号のうち少なくとも１つを選択する。
【００３８】
好ましくは、上記映像信号選択ステップは、映像信号制御ステップの比較結果に応じて、上記第１の符号化映像信号と上記第２の符号化映像信号とが多重化された信号より第１の符号化映像信号および第２の符号化映像信号のうち少なくとも１つを抽出する。上記記録ステップは、映像信号選択ステップで抽出された符号化映像信号を記録媒体に記録する。
【００３９】
好ましくは、上記第１の符号化映像信号はＭＰＥＧ２圧縮符号化された映像信号であり、上記第２の符号化映像信号はＭＰＥＧ４圧縮符号化された映像信号である。
【００４０】
好ましくは、上記第１の符号化映像信号は地上波デジタル放送の１２セグメントを使用した固定受信機向けの映像信号であり、上記第２の符号化映像信号は地上波デジタル放送の１セグメントを使用した携帯受信機向けの映像信号である。
【００４１】
好ましくは、上記記録容量算出ステップは、優先度が与えられた特定の映像番組を第１の符号化映像信号によって記録媒体に記録するために必要な記録容量を算出する。上記映像信号選択ステップは、上記映像信号制御ステップの比較結果に応じて、優先度が所定の値よりも高い映像番組に対しては第１の符号化映像信号を選択しかつ優先度が所定の値以下の映像番組に対しては第２の符号化映像信号を選択する。
【００４２】
上記映像信号記録方法では、映像信号選択ステップは、空き容量が記録容量よりも大きいか否かを判断する。映像信号選択ステップは、映像信号制御ステップで空き容量が記録容量よりも大きいと判断されたとき、第１の符号化映像信号を選択する。一方、映像信号選択ステップは、映像信号選択ステップで空き容量が記録容量よりも小さいと判断されたとき、優先度が所定の値（しきい値）よりも高い映像番組に対しては第１の符号化映像信号を選択しかつ優先度が所定の値（しきい値）以下の映像番組に対しては第２の符号化映像信号を選択する。つまり、上記方法は、優先度が所定の値（しきい値）よりも高い番組を第１の符号化映像信号によって記録しかつ優先度が所定の値（しきい値）以下の映像番組を第１の符号化映像信号よりも圧縮率が高い第２の符号化映像信号によって記録する。また、第１の符号化映像信号によって記録された映像番組は、第２の符号化映像信号によって記録された映像番組よりも画質がよい。これにより、優先度が低い映像番組と比較すると優先度が高い番組を高画質のまま記録することができる。
【００４３】
好ましくは、上記映像記録方法はさらに、優先度設定ステップを備える。上記記録容量算出ステップは、所定の値よりも優先度が高い映像番組を第１の符号化映像信号によって記録しかつ優先度が所定の値以下の映像番組を第２の符号化映像信号によって記録するために必要な記録容量を算出する。上記映像信号選択ステップは、上記映像信号制御ステップで空き容量が記録容量よりも大きいと判断されたとき、優先度が所定の値よりも高い映像番組に対しては第１の符号化映像信号を選択しかつ優先度が所定の値以下の映像番組に対しては第２の符号化映像信号を選択する。優先度設定ステップは、上記映像信号制御ステップで空き容量が記録容量よりも小さいと判断されたとき、所定の値を変更する。
【００４４】
上記映像信号記録方法では、優先度設定ステップは、空き容量が記録容量よりも大きくなるように、所定の値（しきい値）を変更する。これにより、優先度が低い映像番組と比較すると優先度が高い番組を高画質のまま記録することができ、さらに所望の映像番組（優先度が与えられた特定の映像番組）を全て記録することができる。
【００４５】
好ましくは、上記映像信号記録方法はさらに、延長時間取得ステップを備える。延長時
間取得ステップは、映像番組の延長時間を取得する。上記記録容量算出ステップは、延長時間取得ステップで取得された延長時間を考慮して映像番組を第１の符号化映像信号によって記録するために必要な記録容量を算出する。
【００４６】
上記映像信号記録方法では、記録容量算出ステップは、第１の符号化映像信号の符号化ビットレートと映像番組の時間長（放送時間）とを用いて記録容量を算出する。その映像番組の時間長（放送時間）には、延長時間取得ステップで取得された延長時間が含まれている。つまり、記録容量算出ステップは、第１の符号化映像信号の符号化ビットレートと延長時間を含む放送時間とを用いて記録容量を算出する。これにより、映像番組が延長された場合でも映像番組全体を記録することができる。
【００４７】
好ましくは、上記映像信号記録方法はさらに、表示ステップを備える。表示ステップは、上記映像信号選択ステップで各映像番組に対して第１の符号化映像信号または第２の符号化映像信号のどちらが選択されたかを表示する。
【００４８】
好ましくは、上記空き容量検出ステップ、上記記録容量算出ステップ、および上記映像信号制御ステップは、上記記録ステップが前記映像信号選択ステップで選択された符号化映像信号を記録媒体に記録する処理と並行して動作する。上記記録容量算出ステップは、記録媒体に記録すべき映像番組のうち未だ記録媒体に記録されていない部分を第１の符号化映像信号によって記録媒体に記録するために必要な記録容量を算出する。
【００４９】
上記映像信号記録方法では、空き容量検出ステップ、記録容量検出ステップ、および映像信号制御ステップは動的に動作する。つまり、映像信号選択ステップで符号化映像信号が選択された後も、空き容量と記録容量とを比較してその都度符号化映像信号を選択する。これにより、空き容量や記録容量の動的変化に応じてその都度適切な符号化映像信号に切り替えることができる。
【００５０】
好ましくは、上記映像信号記録方法は、コマーシャル検出ステップをさらに備える。コマーシャル検出ステップは、映像番組のコマーシャルを検出する。上記映像信号選択ステップは、上記映像信号制御ステップの比較結果に応じて、コマーシャル検出ステップでコマーシャルが検出されている間に第１の符号化映像信号または第２の符号化映像信号を選択する。
【００５１】
記録される映像番組の画質は、符号化映像信号を切り替える前後で変化する。符号化映像信号が映像番組の途中で切り替えられて記録媒体に記録された場合、その映像番組を再生するときに映像番組の画質は番組の途中で変化する。また、符号化映像信号を切り替えた部分で、映像が途切れてしまう場合がある。
【００５２】
上記映像信号記録方法では、映像信号選択ステップは、コマーシャルステップ分で符号化映像信号を切り替える。例えば、映像信号選択ステップで第１の符号化映像信号が選択されているとする。次に、上記映像信号制御ステップは、空き容量が記録容量よりも小さいと判断したとする。次に映像信号選択ステップは、コマーシャル検出ステップでコマーシャルが検出されている期間に第２の符号化映像信号に切り替える。つまり、映像信号制御ステップで空き容量が記録容量よりも小さいと判断されても、コマーシャル検出ステップでコマーシャルが検出されていない期間では、符号化映像信号を切り替えない。これにより、画質の変化や映像の途切れがコマーシャルステップ分で発生するが、映像番組の内容を示す重要な部分ではこれらの発生を防ぐことができる。
【００５３】
好ましくは、上記映像信号選択ステップは、現在選択している符号化映像信号に加えて現在選択されていない符号化映像信号を前記映像信号制御ステップの比較結果に応じて一
定期間前記記録ステップへ出力した後に、２つの符号化映像信号のうち先に選択された符号化映像信号の出力を中断しかつ後に選択された符号化映像信号の出力を継続する。上記記録ステップは、映像信号選択ステップで出力された符号化映像信号を記録媒体に記録する。
【００５４】
上記映像信号記録方法では、映像信号選択ステップは、符号化映像信号を切り替えるときに、一定期間両方の符号化映像信号（第１の符号化映像信号，第２の符号化映像信号）を記録ステップへ出力する。その後に、映像信号選択ステップは、後に選択した符号化映像信号を出力する。例えば、まず、映像信号選択ステップで第１の符号化映像信号が選択されているとする。次に、映像信号選択ステップは、映像信号制御ステップで、空き容量が記録容量よりも小さいと判断されたときに、第１の符号化映像信号に加えて第２の符号化映像信号を一定期間記録ステップへ出力する。次に、映像信号選択ステップは、第１の符号化映像信号の出力を中断しかつ第２の符号化映像信号の出力を継続する。つまり、一定期間両方の符号化映像信号を出力した後に第２の符号化映像信号のみを出力する。これにより、映像番組を途切れることなく記録媒体に記録することができる。
【００５５】
好ましくは、上記映像信号記録方法は、ＧＯＰ検出ステップをさらに備える。ＧＯＰ検出ステップは、現在選択されていない符号化映像信号よりＧＯＰの先頭を検出する。上記映像信号選択ステップは、上記映像信号制御ステップの比較結果に応じてＧＯＰ検出ステップでＧＯＰが検出された直後にＧＯＰ検出ステップでＧＯＰの先頭がされた方の符号化映像信号を選択する。
【００５６】
上記映像信号記録方法では、例えば、まず、映像信号選択ステップは、第１の符号化映像信号を選択しているとする。次に、上記映像信号制御ステップは、空き容量が記録容量よりも小さいと判断したとする。次に、映像信号選択ステップは、ＧＯＰ検出ステップで第２の符号化映像信号よりＧＯＰの先頭が検出されてから、第２の符号化映像信号に切り替える。つまり、映像信号選択ステップは、映像信号制御ステップで空き容量が記録容量よりも小さいと判断されても、ＧＯＰ検出ステップで第２の符号化映像信号に含まれるＧＯＰの先頭が検出されるまで、第２の符号化映像信号に切り替えない。これにより、映像番組を途切れることなく記録媒体に記録することができる。
【発明の効果】
【００５７】
この発明による映像信号記録装置は、空き容量が記録容量よりも小さいときに第１の符号化映像信号よりも圧縮率が高い第２の符号化映像信号によって映像番組を記録媒体に記録することにより、空き容量が不足する場合でも全ての映像番組を記録媒体に記録することができる。また、従来のように復号化手段と符号化手段とを装備する必要がなく、低コストの映像信号記録装置を提供することができる。
【発明を実施するための最良の形態】
【００５８】
以下、この発明の実施の形態を図面を参照して詳しく説明する。なお、図中同一または相当部分には同一の符号を付しその説明は繰り返さない。
【００５９】
（第１の実施形態）
この発明の第１の実施形態による映像信号記録装置１の全体構成を図１に示す。この装置は、入力部１００と、映像信号抽出部１０１と、映像信号選択部１０２と、記録部１０３と、記録媒体１０４と、空き容量検出部１０５と、記録容量算出部１０６と、映像信号制御部１０７とを備える。入力部１００は、地上波デジタル放送を受信してトランスポートストリームを映像信号抽出部１０１へ出力する。映像信号抽出部１０１は、入力部１００によって出力されたトランスポートストリームから固定受信機向け放送のトランスポートストリームＴＳ１０１および移動体受信機向け放送のトランスポートストリームＴＳ１
０２を抽出する。映像信号選択部１０２は、映像信号制御部１０７の指示に従ってトランスポートストリームＴＳ１０１またはトランスポートストリームＴＳ１０２を選択する。記録部１０３は、映像信号選択部１０２で選択されたトランスポートストリームＴＳ１０１またはＴＳ１０２を記録媒体１０４に記録する。空き容量検出１５０は、記録媒体１０４の空き容量を検出する。記録容量算出部１０６は、記録したい映像番組の時間長（放送時間）と記録したい映像番組の固定受信機向け放送の平均符号化ビットレートから、その映像番組を固定受信機向け放送のトランスポートストリームで記録するのに必要な記録容量を算出する。映像信号制御部１０７は、空き容量検出部１０５が検出した空き容量が記録容量算出部１０６が算出した記録容量より大きい場合には映像信号選択部１０２が固定受信機向け放送のトランスポートストリームＴＳ１０１を選択し、前記空き容量が前記記録容量より小さい場合には映像信号選択部１０２が移動体受信機向け放送トランスポートストリームＴＳ１０２を選択するように制御する。
【００６０】
まず、地上波デジタル放送について説明する。
【００６１】
地上波デジタル放送では，１チャンネルの帯域を１３個のセグメントに分割し、そのうちの１２セグメントを使って家庭用据え置きテレビなどの固定受信機向けにＭＰＥＧ２圧縮符号化された映像信号を放送し、残りの１セグメントを使って携帯電話機などの移動体受信機向けにＭＰＥＧ４圧縮符号化された映像信号を放送する計画である。つまり、固定受信機向け映像番組に比べて、移動体受信機向けの映像番組は、解像度が低くかつＭＰＥＧ４圧縮符号化されているので圧縮率が高く映像番組を記録するために必要な記録容量も小さい。また、符号化ビットレートは、完全には固定値を示さないが放送方式によってほぼ一定の値を示す。例えば、デジタルハイビジョン放送方式（ＨＤ）の場合２０数Ｍｂｐｓであり、デジタル標準放送方式（ＳＤ）の場合３〜５Ｍｂｐｓである。
【００６２】
以下に、図１に示した映像信号記録装置１の動作を図２を参照しつつ説明する。
【００６３】
〔ステップＳＴ１０１〕
まず、入力部１００は、地上波デジタル放送（トランスポートストリーム）を受信して映像信号抽出部１０１へ出力する。
【００６４】
〔ステップＳＴ１０２〕
次に、映像信号抽出部１０１は、入力部１００によって出力されたトランスポートストリームから固定受信機向け放送のトランスポートストリームＴＳ１０１と移動体受信機向け放送のトランスポートストリームＴＳ１０２とを抽出する。
【００６５】
〔ステップＳＴ１０３〕
次に、空き容量検出部１０５は、記録媒体１０４の空き容量を検出する。
【００６６】
〔ステップＳＴ１０４〕
次に、記録容量算出部１０６は、映像番組を固定受信機向け放送のトランスポートストリームＴＳ１０１で記録するために必要な記録容量を算出する。詳しく述べると、記録容量算出部１０６は、記録したい映像番組の時間長（放送時間）と記録したい映像番組の固定受信機向け放送の平均符号化ビットレートから、その映像番組を固定受信機向け放送のトランスポートストリームＴＳ１０１で記録するのに必要な記録容量を算出する。映像番組の時間長（放送時間）は、トランスポートストリームに含まれるＳＩ（Ｓｅｒｖｉｃｅ
Ｉｎｆｏｒｍａｔｉｏｎ）データより取得される。平均符号化ビットレートは、記録容量算出部１０６にあらかじめ設定される。平均符号化ビットレートの値は、放送方式を考慮して与えられる。例えば、デジタル標準放送方式（ＳＤ放送方式）の場合では符号化ビットレートは３〜５Ｍｂｐｓを示すので、平均符号化ビットレートの値を５Ｍｂｐｓとす
る。
【００６７】
〔ステップＳＴ１０５〕
次に、映像信号制御部１０７は、空き容量検出部１０５で検出された空き容量と記録容量算出部１０６で算出された記録容量とを比較する。空き容量が記録容量より大きい場合にはステップＳＴ１０６に進み、空き容量が記録容量より小さい場合にはステップＳＴ１０８に進む。
【００６８】
〔ステップＳＴ１０６〕
次に、映像信号選択部１０２は、映像信号抽出部１０１で抽出されたトランスポートストリームより固定受信機向け放送のトランスポートストリームＴＳ１０１を選択する。次に、ステップＳＴ１０７に進む。
【００６９】
〔ステップＳＴ１０７〕
次に、記録部１０３は、映像信号選択部１０２で選択されたトランスポートストリームを記録媒体１０４に記録する。
【００７０】
〔ステップＳＴ１０８〕
一方、ステップＳＴ１０５で空き容量が記録容量よりも小さいと判断された場合、映像信号選択部１０２は、映像信号抽出部１０１で抽出されたトランスポートストリームより移動体受信機向け放送のトランスポートストリームＴＳ１０２を選択する。次に、ステップＳＴ１０７へ進む。
【００７１】
以下に、上述の処理を具体的な値を用いて図３を参照しつつ説明する。
【００７２】
まず、固定受信機向け放送の映像番組の平均ビットレートを５Ｍｂｐｓ、移動体受信機向け放送の映像番組の平均ビットレートを５１２Ｋｂｐｓ、映像番組の放送時間を３時間（ｈ）、記録媒体１０４の空き容量を３ＧＢとする。
【００７３】
この場合、ステップＳＴ１０５の処理において、映像番組を固定受信機向け放送のトランスポートストリームで記録するために必要な記録容量は、図２８に示した式１のように算出されて、６．７５ＧＢになる。よって、空き容量は記録容量よりも小さくなる。
【００７４】
一方、ステップＳＴ１０７の処理において、移動体受信機向け放送のトランスポートストリームで記録するために必要な記録容量は、図２８の式２のように算出されて０．６９ＧＢになる。よって、空き容量は記録容量よりも大きくなる。
【００７５】
以上のように、空き容量が記録容量よりも小さい場合（映像番組を記録する時に空き容量が不足した場合）には映像信号選択部が地上波デジタル放送の移動体受信機向け放送の映像信号を選択することにより、復号化部および符号化部を装備しなくても、圧縮率の高い映像信号を記録して映像番組全体を記録することができ、復号化部および符号化部のコストを削減できる。
【００７６】
なお、この発明の第１の実施の形態では、映像信号抽出部１０１と映像信号選択部１０２とを別々の部として構成したが、映像信号選択部１０２と映像信号抽出部１０１とを一体化して、空き容量が記録容量より大きい場合には映像信号抽出部１０１が固定受信機向け放送のトランスポートストリームのみを抽出し、空き容量が記録容量より小さい場合には映像信号抽出部１０１が移動体受信機向け放送のトランスポートストリームのみを抽出し、記憶部１０３が映像信号抽出部の抽出したトランスポートストリームを記録してもよい。
【００７７】
なお、記録容量算出部１０６にあらかじめ設定された平均符号化ビットレートが複数個設定されていてもかまわない。つまり、放送方式ごとに設定されていてもかまわない。例えば、デジタルハイビジョン放送方式（ＨＤ）に対応した平均符号化ビットレートＢ１を２０Ｍｂｐｓ，デジタル標準放送方式（ＳＤ）に対応した平均符号化ビットレートＢ２を５Ｍｂｐｓとあらかじめ設定されていてもかまわない。この場合、記録容量算出部１０６は、地上波デジタル放送の放送方式に応じて、あらかじめ設定された平均符号化ビットレートの中から適当なものを１つ選びそれを用いて記録容量を算出することができる。
【００７８】
さらに、デジタルハイビジョン放送方式（ＨＤ）の映像番組を２時間記録しかつデジタル標準放送方式（ＳＤ）の映像番組を１時間記録したい場合に、記録容量算出部１０６は、平均符号化ビットレートＢ１と平均符号化ビットレートＢ２との平均値を用いて記録容量を算出してもかまわない。
【００７９】
（第２の実施形態）
この発明の第２の実施形態における映像信号記録装置２の全体構成を図４に示す。この装置は、図１に示した映像信号記録装置１に加えて、予約番組情報記憶部２００と優先度記憶部２０１と、表示部２０２を備える。予約番組情報記憶部２００は、図５のような記録を予約する映像番組の番組情報（チャンネル，予約時間など）と優先度とを記憶する。優先度記憶部２０１は、優先度しきい値を記憶する。表示部２０２は、映像信号選択部１０２でどちらのトランスポートストリームが選択されたのかを表示する。
【００８０】
以下に、図４に示した映像信号記録装置２の動作について図６を参照しつつ説明する。
【００８１】
〔ステップＳＴ１０１〜ステップＳＴ１０３〕
まず、ステップＳＴ１０１からステップＳＴ１０３までの処理が行われる。
【００８２】
〔ステップＳＴ２０４〕
次に、記録容量算出部１０６は、予約番組情報記憶部２００で記憶されている予約番組情報（図５参照）に示された映像番組を固定受信機向け放送のトランスポートストリームＴＳ１０１で記録するために必要な記録容量を算出する。詳しく述べると、記録容量算出部１０６は、予約番組情報で示された映像番組の時間長（放送時間）の合計と予約番組情報で示された映像番組の固定受信機向け放送の平均符号化ビットレートから、その映像番組を固定受信機向け放送のトランスポートストリームＴＳ１０１で記録するのに必要な記録容量を算出する。図５に示した予約番組情報が予約番組情報記憶部２００に記憶されている場合、映像番組の時間長（放送時間）は、番組Ｂ１０１，Ｂ１０２，Ｂ１０３の放送時間の合計であるから「３時間」となる。
【００８３】
〔ステップＳＴ２０５〕
次に、映像信号制御部１０７は、空き容量検出部１０５で検出された空き容量と記録容量算出部１０６で算出された記録容量を比較する。空き容量が記録容量より大きい場合にはステップＳＴ２０６へ進み、小さい場合にはステップＳ２０８へ進む。
【００８４】
〔ステップＳＴ２０６〕
次に、映像信号選択部１０２は、映像信号抽出部１０１で抽出されたトランスポートストリームより固定受信機向け放送のトランスポートストリームＴＳ１０１を選択する。
【００８５】
〔ステップＳＴ２０７〕
次に、記録部１０３は、映像信号選択部１０２で選択されたトランスポートストリームを記録媒体１０４に記録する。また、表示部２０２は、映像信号選択部１０２でどちらの
トランスポートストリームが選択されたのかを表示する。
【００８６】
〔ステップＳＴ２０８〕
一方、ステップＳＴ２０５で空き容量が記録容量よりも小さい場合、映像信号制御部１０７は、予約番組情報記憶部２００に記憶された映像番組の優先度と優先度記憶部２０１に記憶された優先度しきい値とを比較し、映像番組の優先度が優先度しきい値よりも高い場合にはステップＳＴ２０９へ進み、映像番組の優先度が優先度しきい値以下の場合にはステップＳ２１０へ進む。
【００８７】
〔ステップＳＴ２０９〕
次に、映像信号選択部１０２は、映像信号抽出部１０１で抽出されたトランスポートストリームより固定受信機向け放送のトランスポートストリームＴＳ１０１を選択する。つまり、優先度が優先度しきい値よりも高い映像番組に対してはトランスポートストリームＴＳ１０１を選択する。次に、ステップＳＴ２０７へ進む。
【００８８】
〔ステップＳＴ２１０〕
一方、ステップＳＴ２０８で映像番組の優先度が優先度しきい値以下の場合、映像信号選択部１０２は、映像信号抽出部１０１で抽出されたトランスポートストリームより移動体受信機向け放送のトランスポートストリームＴＳ１０２を選択する。つまり、優先度が優先度しきい値以下の映像番組に対してはトランスポートストリームＴＳ１０２を選択する。次に、ステップＳＴ２０７へ進む。
【００８９】
以上のように、優先度が優先度しきい値よりも大きい映像番組は固定受信機向け放送のトランスポートストリームＴＳ１０１で記録媒体１０４に記録されて、優先度が優先度しきい値以下の映像番組は移動体受信機向けのトランスポートストリームＴＳ１０１で記録媒体１０４に記録される。つまり、図５に示した予約番組情報が予約番組情報記憶部２００に記憶されてかつ優先度しきい値記憶部２０１に記録されている優先度しきい値が「中画質」である場合、優先度が「高画質」の番組Ｂ１０１はトランスポートストリームＴＳ１０１で記録媒体１０４に記録され、優先度が「中画質」，「低画質」の番組Ｂ１０２，１０３はトランスポートストリームＴＳ１０２で記録媒体１０４に記録される。
【００９０】
以下に、上述の処理を具体的な値を用いて図７を参照しつつ説明する。
【００９１】
まず、図５のような予約番組情報と優先度が予約番組情報記憶部２００に記憶されているとする。このとき映像番組Ｂ１０１，Ｂ１０２，Ｂ１０３の放送時間はそれぞれ１時間であるので放送時間の合計は３時間（ｈ）となる。また、記録媒体の空き容量が３ＧＢ、固定受信機向けの映像番組の平均ビットレートが５Ｍｂｐｓ、移動体受信機向けの映像番組の平均ビットレートが５１２Ｋｂｐｓ、優先度しきい値を「中画質」をする。
【００９２】
この場合、ステップＳＴ２０４の処理において、映像番組Ｂ１０１，Ｂ１０２，Ｂ１０３を固定受信機向け放送のトランスポートストリームＴＳ１０１で記録するために必要な記録容量は、図２８に示した式１のように算出されて６．７５ＧＢになる。よって、空き容量は記録容量よりも小さくなる。
【００９３】
次に、ステップＳＴ２０８の処理において、映像番組の優先度と優先度しきい値とを比較する。
【００９４】
次に、映像信号選択部１０２は、ステップＳＴ２０９，ステップＳＴ２１０の処理において、優先度しきい値よりも高い優先度（高画質）の映像番組Ｂ１０１の場合には固定受信機向け放送のトランスポートストリームＴＳ１０１を選択して、優先度しきい値以下の
優先度（中画質，低画質）の映像番組Ｂ１０２、Ｂ１０３の場合には移動体受信機向け放送のトランスポートストリームＴＳ１０２を選択する。
【００９５】
次に、ステップＳＴ２０７の処理において、記録部１０３は、映像番組を映像信号選択部１０２で選択されたトランスポートストリームで記録媒体部１０４に記録する。つまり、優先度しきい値（中画質）よりも高い優先度（高画質）の映像番組Ｂ１０１を固定受信機向け放送のトランスポートストリームＴＳ１０１で記録しかつ優先度しきい値以下の画質（中画質，低画質）の映像番組Ｂ１０２，Ｂ１０３を移動体受信機向け放送のトランスポートストリームＴＳ１０２で記録するために必要な記録容量は、図２９に示した式３のように算出されて２．７１ＧＢになる。よって、空き容量は記録容量よりも大きくなる。
【００９６】
以上のように、記録容量が空き容量より大きい場合、優先度が優先度しきい値よりも高い映像番組は固定受信機向け放送の映像信号で記録され、優先後が優先度しきい値以下の映像番組は移動体受信機向け放送の映像信号で記録される。これにより、優先度が高い映像番組の画質を落とさないようにして、複数の映像番組を記録することができる。
【００９７】
なお、本実施形態では、優先度に画質を用いたが、数字を用いてもよいし、ユーザーの指定により番組ジャンルと優先度の対応付けを行いスポーツを高優先度，ニュースを低優先度などとしてもよい。
【００９８】
（第３の実施形態）
この発明の第３の実施形態による映像信号記録装置３の全体構成を図８に示す。この装置は、図４に示した映像信号記録装置２の優先度記憶部２０１に代えて優先度設定部３００を備える。優先度設定部３００は、映像信号制御部１０７で行われる空き容量と記録容量との比較の結果に応じて優先度しきい値を変更する。
【００９９】
以下に、図８に示した映像信号記録装置３の動作について図９を参照しつつ説明する。
【０１００】
〔ステップＳＴ１０１〜ステップＳＴ１０３〕
まず、ステップＳＴ１０１からステップＳＴ１０３までの処理が行われる。
【０１０１】
〔ステップＳＴ３０４〕
次に、優先度設定部３００は、優先度しきい値を最低の優先度しきい値（最低レベル）に設定する。
【０１０２】
〔ステップＳＴ３０５〕
次に、記録容量算出部１０６は、予約番組情報記憶部２００で記憶された映像番組の優先度と優先度設定部３００に設定された優先度しきい値とを参照して、優先度が優先度しきい値よりも大きい映像番組を固定受信機向け放送で記録して、優先度が優先度しきい値以下の映像番組を移動体受信機向け放送で記録するために必要な記録容量を算出する。詳しく述べると、優先度が優先度しきい値よりも高い映像番組の時間長（放送時間）および固定受信機向け放送の平均符号化ビットレートを用いて記録容量Ｎ１を求め、優先度が優先度しきい値以下の映像番組の時間長（放送時間）および移動体受信機向け放送の平均符号化ビットレートを用いて記録容量Ｎ２を求め、記録容量Ｎ１と記録容量Ｎ２との合計を算出する。
【０１０３】
〔ステップＳＴ３０６〕
次に、映像信号制御部１０７は、空き容量検出部１０６で検出された空き容量と記録容量算出部１０６で算出された記録容量とを比較する。空き容量が記録容量よりも大きい場合にはステップＳＴ３０７へ進み、空き容量が記録容量よりも小さい場合にはステップＳ
Ｔ３１０へ進む。
【０１０４】
〔ステップＳＴ３０７〕
次に、映像信号制御部１０７は、映像番組の優先度と優先度設定部に設定された優先度しきい値とを比較し、映像番組の優先度が優先度しきい値よりも高い場合にはステップＳＴ３０８へ進み、映像番組の優先度が優先度しきい値以下の場合にはステップＳＴ３１１へ進む。
【０１０５】
〔ステップＳＴ３０８〕
次に、映像信号選択部１０２は、映像信号抽出部１０１で抽出されたトランスポートストリームより固定受信機向け放送のトランスポートストリームＴＳ１０１を選択する、つまり、優先度が優先度しきい値よりも高い映像番組に対してはトランスポートストリームＴＳ１０１を選択する。
【０１０６】
〔ステップＳＴ３０９〕
次に、記録部１０３は、映像信号選択部１０２で選択されたトランスポートストリームを記録媒体１０４に記録する。また、表示部２０２は、映像信号選択部１０２でどちらのトランスポートストリームが選択されたのかを表示する。
【０１０７】
〔ステップＳＴ３１０〕
一方、ステップＳＴ３０６で空き容量が記録容量より小さい場合、優先度設定部３００は、優先度しきい値を、現在設定されている優先度しきい値に対して１つレベルの高い優先度しきい値に設定する。次に、ステップＳＴ３０５へ進む。
【０１０８】
〔ステップＳＴ３１１〕
一方、ステップＳＴ３０７で番組の優先度が優先度しきい値以下の場合、映像信号選択部１０２は、映像信号抽出部１０１で抽出されたトランスポートストリームより移動体受信機向け放送のトランスポートストリームＴＳ１０２を選択する。次に、ステップＳＴ３０９へ進む。つまり、優先度が優先度しきい値以下の映像番組に対してはトランスポートストリームＴＳ１０２を選択する。
【０１０９】
以下に、上述の処理を具体的な値を用いて図１０を参照しつつ説明する。
【０１１０】
図５のような予約番組情報と優先度が予約番組情報に記憶されているとする。このとき映像番組Ｂ１０１，Ｂ１０２，Ｂ１０３の放送時間の合計は３時間（ｈ）となる。また、記録媒体の空き容量が３ＧＢ、固定受信機向けの映像番組の平均ビットレートが５Ｍｂｐｓ、移動体受信機向けの映像番組の平均ビットレートが５１２Ｋｂｐｓをする。
【０１１１】
ステップＳＴ３０５の処理において、優先度しきい値は最低のレベルに設定されてる。つまり、全映像番組Ｂ１０１，Ｂ１０２，Ｂ１０３を固定受信機向け放送のトランスポートストリームで記録するために必要な記録容量は、図２８に示した式１のように算出されて６．７５ＧＢになる。よって、空き容量は記録容量よりも小さくなる。
【０１１２】
次に、ステップＳＴ３１０の処理において、優先度しきい値には１つ高い優先度しきい値が設定される。つまり、優先度しきい値には「低画質」が設定される。
【０１１３】
次に、ステップＳＴ３０５における処理で、優先度しきい値（低画質）よりも高い優先度（高画質，中画質）の映像番組Ｂ１０１，Ｂ１０２を固定受信機向け放送のトランスポートストリームＴＳ１０１で記録しかつ優先度しきい値以下の優先度（低画質）の映像番組Ｂ１０３を移動体受信機向け放送のトランスポートストリームＴＳ１０２で記録するた
めに必要な記録容量は、図２９に示した式４のように算出されて４．７３ＧＢになる。よって、空き容量は記録容量よりも小さくなる。
【０１１４】
次に、ステップＳＴ３１０の処理において優先度しきい値を「低画質」から「中画質」へ変更する。
【０１１５】
次に、ステップＳＴ３０５の処理において、優先度しきい値（中画質）よりも高い優先度（高画質）の映像番組Ｂ１０１を固定受信機向け放送のトランスポートストリームＴＳ１０１で記録して、優先度しきい値以下の優先度（中画質，低画質）の映像番組Ｂ１０２，Ｂ１０３を移動体受信機向け放送のトランスポートストリームＴＳ１０２で記録するために必要な記録容量は、図２９に示した式３のように算出されて２．７１ＧＢになる。よって、空き容量は記録容量よりも大きくなる。
【０１１６】
次に、映像信号選択部１０２は、ステップＳＴ３０８，ステップＳＴ３１１の処理において、優先度しきい値よりも高い優先度（高画質）の映像番組Ｂ１０１の場合には固定受信機向け放送のトランスポートストリームＴＳ１０１を選択して、優先度しきい値以下の優先度（中画質，低画質）の映像番組Ｂ１０２，Ｂ１０３の場合には移動体受信機向け放送のトランスポートストリームＴＳ１０２を選択する。
【０１１７】
次に、ステップＳＴ３０９の処理において、記録部１０３は、映像番組を映像信号選択部１０２で選択されたトランスポートストリームで記録媒体部１０４に記録する。
【０１１８】
以上のように、優先度設定部３００の優先度しきい値より高い優先度の映像番組は固定受信機向け放送の映像信号を記録し、優先度設定部３００の優先度しきい値以下の優先度の映像番組は移動体受信機向け放送の映像信号を記録する。つまり、複数の映像番組を記憶するために必要な記録容量が記録媒体の空き容量より小さくなる優先度を優先度設定部が設定することにより、複数の予約番組全てを記録することができる。
【０１１９】
（第４の実施形態）
この発明の第４の実施形態による映像信号記録装置４の全体構成を図１１に示す。この装置は、図１に示した映像信号記録装置１に加えて延長時間取得部４００と、表示部２０２とを備える。延長時間取得部３００は、トランスポートストリームに含まれるＳＩ（Ｓｅｒｖｉｃｅ Ｉｎｆｏｒｍａｔｉｏｎ）データから放送時間が延長される可能性がある
映像番組の延長時間を取得する。表示部２０２は、映像信号選択部１０２でどちらのトランスポートストリームが選択されたのかを表示する。
【０１２０】
以下に、図１１に示した映像信号記録装置４の動作について図１２を参照しつつ説明する。
【０１２１】
〔ステップＳＴ１０１〜ステップＳＴ１０３〕
まず、ステップＳＴ１０１からステップＳＴ１０３の処理が行われる。
【０１２２】
〔ステップＳＴ４０４〕
次に、延長時間取得部４００は、トランスポートストリームに含まれるＳＩ（Ｓｅｒｖｉｃｅ Ｉｎｆｏｒｍａｔｉｏｎ）データから放送時間が延長される可能性がある映像番
組の延長時間を取得する。
【０１２３】
〔ステップＳＴ４０５〕
次に、記録容量算出部１０６は、映像番組の放送時間に延長時間取得部４００で取得された延長時間を加えた時間長（放送時間）と固定受信機向けの映像番組の平均符号化ビッ
トレートとを用いて記録容量を算出する。
【０１２４】
〔ステップＳＴ１０５，ＳＴ１０６，ＳＴ２０７，ＳＴ１０８〕
次に、ステップＳＴ１０５，ＳＴ１０６，ＳＴ２０７，ＳＴ１０８における処理が行われ、記録媒体１０４に映像番組が記録される。また、表示部２０２は、映像信号制御部１０７でどちらのトランスポートストリームが選択されたのかを表示する。
【０１２５】
以上のように、映像番組の放映時間が延長された場合でも、映像番組全体を記録することができる。
【０１２６】
（第５の実施形態）
この発明の第５の実施形態による映像信号記録装置５の全体構成を図１３に示す。この装置は図１に示した映像信号記録装置１において、映像信号制御部１０７に代えて映像信号動的制御部５００を備える。空き容量検出部１０５は、記録媒体１０４の空き容量を検出する。記録容量算出部１０６は、映像番組の残りの部分（記録すべき映像番組のうち未だ記録媒体１０４に記録されていない部分）を記録するために必要な記録容量を算出する。映像信号動的制御部５００は、記録部１０３で記録媒体１０４に記録している途中で記録媒体１０４の空き容量が記録容量よりも大きい否かを比較する。映像信号選択部１０２は、映像信号動的制御部５００の判断に応じて現在選択している映像信号を切り替える。
【０１２７】
以下に、図１３に示した映像信号記録装置５の動作について図１４を参照しつつ説明する。
【０１２８】
まず、ステップＳＴ１０１からステップＳＴ１０８までの処理が行われ、映像信号選択部１０２によって固定受信機向け放送のトランスポートストリームＴＳ１０１が選択されて、記録部１０３によって映像番組はその映像信号（ＴＳ１０１）によって記録媒体１０４に記録されている。ただし、ステップＳＴ１０５において映像信号制御部１０７が行っていた処理は、映像信号動的制御部５００によって行われる。このような処理（ステップＳＴ１０１〜ステップＳＴ１０８）と並行して以下の処理が行われる。
【０１２９】
〔ステップＳＴ５０１〕
空き容量検出部１０５は、記録媒体１０４の残りの空き容量を検出する。
【０１３０】
〔ステップＳＴ５０２〕
次に、記録容量算出部１０６は、映像番組の残りの部分（記録すべき映像信号のうち未だ記録されていない部分）を固定受信機向けの映像番組の平均符号化ビットレートによって記録媒体１０４に記録するために必要な記録容量を算出する。
【０１３１】
〔ステップＳＴ５０３〕
次に、映像信号動的制御部５００は、空き容量検出部１０５で検出された空き容量と記録容量算出部１０６で算出された記録容量とを比較する。空き容量が記録容量よりも大きい場合にはステップＳＴ５０４へ進み、空き容量が記録容量よりも小さい場合にはステップＳＴ５０６へ進む。
【０１３２】
〔ステップＳＴ５０４〕
次に、映像信号選択部１０２は、現在選択しているトランスポートストリームＴＳ１０１を継続して選択する。
【０１３３】
〔ステップＳＴ５０５〕
次に、記録部１０３は、映像番組を映像信号選択部１０２で選択されたトランスポート
ストリームによって記録媒体１０４に記録する。
【０１３４】
〔ステップＳＴ５０６〕
一方、ステップＳＴ５０３で空き容量が記録容量よりも小さいと判断された場合、映像信号選択部１０２は、現在選択しているトランスポートストリームＴＳ１０１に代えて移動体受信機向け放送のトランスポートストリームＴＳ１０２を選択する。
【０１３５】
このように、映像信号動的制御部５００は以上の処理（ステップＳＴ５０１からステップＳＴ５０６）を随時行う。
【０１３６】
以下に、上述の処理を図１５および図１６（タイミングチャート）を参照しつつ説明する。
【０１３７】
次のような条件で上述の処理を行ったとする。
【０１３８】
映像番組の全放送時間（時刻ｔ１から時刻ｔ４まで）は３時間、時刻ｔ１における記録媒体の空き容量は１２ＧＢである。記録容量算出部１０６は、時刻ｔ１，ｔ２，ｔ３において固定受信機向けの映像番組の符号化ビットレートをそれぞれ５Ｍｂｐｓ，５Ｍｂｐｓ，２０Ｍｂｐｓ、移動体受信機向けの映像番組の符号化ビットレートをそれぞれ５１２Ｋｂｐｓ，５１２Ｋｂｐｓ，２０００Ｋｂｐｓとして記録容量を算出する。つまり、映像番組の符号化ビットレートが大きく変動した場合（時刻ｔ３以前において地上波デジタル放送の放送方式が変更した場合や、時刻ｔ３前後において動きが穏やかな映像から動きが激しい映像へと変化した場合など）に、記録容量算出部１０６はその変動に応じて計算に用いる平均符号化ビットレートを変更する。また、時刻ｔ１〜ｔ２（期間１），時刻ｔ２〜ｔ３（期間２），時刻ｔ３〜時刻ｔ４（期間３）の時間間隔はそれぞれ１時間である。
【０１３９】
時刻ｔ１，ｔ２，ｔ３において、上述の処理（ステップＳＴ５０１からステップＳＴ５０６）を行う。
【０１４０】
まず、映像信号選択部１０２ではトランスポートストリームＴＳ１０１が選択されている。
【０１４１】
次に、時刻ｔ１において、ステップＳＴ５０１からステップＳＴ５０６の処理を行う。このとき、空き容量は１２ＧＢであり、記録容量は図３０に示した式５のように算出されて６．７５ＧＢとなる。
【０１４２】
このように、空き容量は記録容量よりも大きい。よって、映像信号選択部１０２はトランスポートストリームＴＳ１０１を継続して選択する。
【０１４３】
次に、時刻ｔ２において、時刻ｔ１における処理と同様に、ステップＳＴ５０１からステップＳＴ５０６の処理を行う。記録媒体１０５は、映像番組を期間１に２．２５ＧＢ記録したので空き容量は９．７５ＧＢとなり、記録容量は図３０に示した式６のように算出されて４．７３ＧＢとなる。
【０１４４】
このように、空き容量は記録容量よりも大きい。よって、映像信号選択部１０２はトランスポートストリームＴＳ１０１を継続して選択する。
【０１４５】
次に、時刻ｔ３において、時刻ｔ１における処理と同様に、ステップＳＴ５０１からステップＳＴ５０６の処理を行う。記録媒体１０４は、映像番組を期間２に２．２５ＧＢ記録したので空き容量は７．５ＧＢとなり、記録容量は図３０に示した式７のように算出さ
れて９ＧＢとなる。
【０１４６】
このように、空き容量は記録容量よりも小さい。よって、映像信号選択部１０２は、移動体受信機向け放送のトランスポートストリームＴＳ１０２に切り替えて選択する。
【０１４７】
次に、時刻ｔ４において、記録媒体１０４は映像番組を期間３に０．９ＧＢ記録したので空き容量は６．６ＧＢである。
【０１４８】
以上のように、映像番組の符号化ビットレートが変動することで、映像番組を記録するために必要な記録容量が増加した場合でも、映像番組全体を記録することができる。
【０１４９】
なお、ステップＳＴ１０１からステップＳＴ１０８の処理において、映像信号制御部１０７は移動体受信機向け放送のトランスポートストリームＴＳ１０２を選択してもかまわない。
【０１５０】
（第６の実施形態）
この発明の第６の実施形態による映像信号記録装置６の全体構成を図１７に示す。この装置は、図１３に示した映像信号記録装置５に加えて、ＣＭ検出部６００を備える。ＣＭ検出部６００は、入力部１００で入力されたトランスポートストリームより映像番組のＣＭ（コマーシャル）を検出する。映像信号選択部１０２は、ＣＭ検出部６００でＣＭが検出されている期間に映像信号動的制御部５００の判断に応じて現在選択している映像信号を切り替える。
【０１５１】
以下に、図１７に示した映像信号記録装置６の動作について図１８を参照しつつ説明する。
【０１５２】
第６の実施形態における動作は、第５の実施形態における処理のステップＳＴ５０６の直前にステップＳＴ６０１の処理を行う。
【０１５３】
〔ステップＳＴ６０１〕
ステップＳＴ５０３において、空き容量検出部１０５で検出された空き容量が記録容量算出部１０６で算出された記録容量よりも小さいと判断したとき、映像信号動的制御部５００は、ＣＭ検出部６００でＣＭが検出されているか否かを判断する。つまり、現在入力部１００で入力されたトランスポートストリームが示す映像番組の内容がＣＭであるか否かを判断する。ＣＭが検出されたと判断するまでステップＳＴ６０１の処理は続けられ、ＣＭであると判断した場合にはステップＳＴ５０６へ進む。
【０１５４】
以下に、上述の処理を図１９に示したタイミングチャートを参照しつつ説明する。
【０１５５】
図１９の時刻ｔ１，ｔ２において上述の処理（ステップＳＴ５０１〜ステップＳＴ５０６、およびステップＳＴ６０１）を行う。時刻ｔｃｍ１から時刻ｔｃｍ２の間、映像番組の内容はＣＭである。また、時刻ｔ２は、時刻ｔｃｍ１から時刻ｔｃｍ２の間に存在する任意の時刻を示す。
【０１５６】
まず、映像信号選択部１０２は、トランスポートストリームＴＳ１０１を選択している。
【０１５７】
次に、時刻ｔ１において、ステップＳＴ５０１〜ステップＳＴ５０３の処理が行われ、映像信号制御部１０７は、空き容量が記録容量よりも小さいと判断する。このとき、ＣＭ検出部６００はトランスポートストリームＴＳ１０１よりＣＭを検出していない。よって
、まだステップＳＴ５０６へ進まず、映像信号選択部１０２は、トランスポートストリームＴＳ１０１を継続して選択する。
【０１５８】
次に、時刻ｔｃｍ１から時刻ｔｃｍ２において、ＣＭ検出部６００は、トランスポートストリームＴＳ１０１よりＣＭを検出する。
【０１５９】
また、時刻ｔｃｍ１から時刻ｔｃｍ２においてＣＭ検出部６００がＣＭを検出しているので、時刻ｔ２において、映像信号選択部１０２は、移動体受信機向け放送のトランスポートＴＳ１０２を選択する。
【０１６０】
以上のように、映像番組のコマーシャル部分で固定受信機向けのトランスポートストリームＴＳ１０１から移動体受信機向け放送のトランスポートストリームＴＳ１０２へ切り替えることで、コマーシャル部分で映像の途切れが発生するが、映像番組の本編での映像の途切れを発生させなくすることができる。
【０１６１】
なお、ステップＳＴ１０１からステップＳＴ１０８の処理において、映像信号制御部１０７は移動体受信機向け放送のトランスポートストリームＴＳ１０２を選択してもかまわない。この場合、ステップＳＴ６０１の処理は、ステップＳＴ５０６の直前ではなくステップＳＴ５０４の処理の直前に行われる。つまり、映像信号選択部１０２が現在選択しているトランスポートストリームを切り替える前にステップＳＴ６０１の処理を行う。
【０１６２】
（第７の実施形態）
この発明の第７の実施形態による映像信号記録装置７の全体構成を図２０に示す。この装置は、図１３に示した映像信号記録装置５に加えて切替時間指定部７００を備える。切替時間指定部７００は、映像信号選択部１０２が映像信号を切り替える時に両方の映像信号を選択する時間を記憶する。映像信号選択部１０２は、映像信号動的制御部５００の判断に応じて切替時間指定部７００で記憶された切替期間の間、両方の映像信号を選択した後、映像信号を切り替える。
【０１６３】
以下に、図２０に示した映像信号記録装置７の動作について図２１を参照しつつ説明する。
【０１６４】
第７の実施形態における動作は、第５の実施形態における処理のステップＳＴ５０６の直前にステップＳＴ７０１の処理を行う。
【０１６５】
〔ステップＳＴ７０１〕
ステップＳＴ５０３において、空き容量検出部１０５で検出された空き容量が記録容量算出部１０６で算出された記録容量よりも小さいと判断した場合、映像信号選択部１０２は、一定期間、現在選択して記録部１０３へ出力している固定受信機向け放送のトランスポートストリームＴＳ１０１に加えて移動体受信機向け放送のトランスポートストリームＴＳ１０２を出力する。つまり、トランスポートストリームＴＳ１０１とトランスポートストリームＴＳ１０２との両方を一定期間選択する。次にステップＳＴ５０６へ進む。
【０１６６】
以下に、上述の処理を図２２に示したタイミングチャートを参照しつつ説明する。
【０１６７】
まず、映像信号選択部１０２は、トランスポートストリームＴＳ１０１を選択している。
【０１６８】
次に、時刻ｔ１において、映像信号動的制御部５００は、空き容量が記録容量よりも小さいと判断する。よって、映像信号選択部１０２は、トランスポートストリームＴＳ１０
１とトランスポートストリームＴＳ１０２との両方を一定期間Ｔ選択する。つまり、時刻ｔ１から時刻ｔ１＋Ｔまでの間、記録部１０３は、トランスポートストリームＴＳ１０１とトランスポートストリームＴＳ１０２との両方を記録媒体１０４に記録する。
【０１６９】
次に、一定期間後の時刻ｔ１＋Ｔにおいて、映像信号選択部１０２は、トランスポートストリームＴＳ１０２のみを選択する。
【０１７０】
以上のように、固定受信機向け放送のトランスポートストリームＴＳ１０１から移動体受信機向け放送のトランスポートストリームＴＳ１０２に切り替えるときに、両方のトランスポートストリームを一定期間選択して記録することにより、映像番組の記録が途切れることを防ぐことができる。
【０１７１】
なお、ステップＳＴ１０１からステップＳＴ１０８の処理において、映像信号制御部１０７は移動体受信機向け放送のトランスポートストリームＴＳ１０２を選択してもかまわない。この場合、ステップＳＴ７０１の処理は、ステップＳＴ５０６の直前ではなくステップＳＴ５０４の処理の直前に行われる。つまり、映像信号選択部１０２が現在選択しているトランスポートストリームを切り替える前にステップＳＴ７０１の処理を行う。
【０１７２】
（第８の実施形態）
この発明の第８の実施形態による映像信号記録装置８の全体構成を図２３に示す。この装置は、図１３に示した映像信号記録装置５に加えて、ＧＯＰ検出部８００を備える。ＧＯＰ検出部８００は、映像信号よりＧＯＰの先頭を検出する。
【０１７３】
まず、ＧＯＰについて説明する。
【０１７４】
ＭＰＥＧでは、フレーム内のデータのみで原画像を復号化できるＩピクチャと、他フレームのデータが無いと原画像を復号できないＰピクチャ、Ｂピクチャがあり、少なくとも１枚のＩピクチャを含む複数の画面データをグループ化したＧＯＰ（Ｇｒｏｕｐ ｏｆ Ｐｉｃｔｕｒｅｓ）構造がある。ＭＰＥＧ符号化された映像信号は、ＧＯＰ単位あれば映像信号の任意の位置・時刻から映像を復号化することができる。逆に、映像信号を切り替える時に、映像信号をＧＯＰの途中から記録すると、そのＧＯＰの映像は復号化できず、映像が途切れる。
【０１７５】
以下に、図２３に示した映像信号記録装置８の動作について図２４を参照しつつ説明する。
【０１７６】
第８の実施形態における動作は、第５の実施形態における処理のステップＳＴ５０６の直前にステップＳＴ８０１の処理を行う。
【０１７７】
〔ステップＳＴ８０１〕
ステップＳＴ５０３において、空き容量検出部１０５で検出された空き容量が記録容量算出部１０６で算出された記録容量よりも小さいと判断した場合、映像信号動的制御部５００は、ＧＯＰ検出部８００でトランスポートストリームＴＳ１０２よりＧＯＰの先頭が検出されたか否かを判断する。ＧＯＰが検出されたと判断するまでステップＳＴ８０１の処理は続けられ、ＧＯＰが検出されたと判断した場合にはステップＳＴ５０６へ進む。
【０１７８】
以下に、上述の処理を図２５に示したタイミングチャートを参照しつつ説明する。
【０１７９】
まず、映像信号選択部１０２は、トランスポートストリームＴＳ１０１を選択している。
【０１８０】
次に、時刻ｔ１において、映像信号動的制御部５００は、空き容量が記録容量よりも小さいと判断する。このとき、ＧＯＰ検出部８００は、トランスポートストリームＴＳ１０２よりＧＯＰ２の先頭を検出していない。よって、映像信号選択部１０２は、トランスポートストリームＴＳ１０１を継続して選択する。
【０１８１】
次に、時刻ｔ２において、ＧＯＰ検出部８００は、トランスポートストリームＴＳ１０２よりＧＯＰ２の先頭を検出する。また、時刻ｔ１において、映像信号動的制御部５００は、空き容量が記録容量よりも小さいと判断している。よって、映像信号選択部１０２は、移動体受信機向け放送のトランスポートＴＳ１０２を時刻ｔ２より選択する。つまり、ＧＯＰ２の先頭から移動体受信機向け放送のトランスポートＴＳ１０２の選択を開始する。
【０１８２】
以上のように、固定受信機向け放送のトランスポートストリームＴＳ１０１から移動体受信機向け放送のトランスポートストリームＴＳ１０２へ切替えるときに、トランスポートストリームＴＳ１０２よりＧＯＰの先頭を検出してからトランスポートストリームＴＳ１０１からトランスポートストリームＴＳ１０２に切替えることで、映像番組の記録が途切れることを防ぐことができる。
【０１８３】
なお、ステップＳＴ１０１からステップＳＴ１０８の処理において、映像信号動的制御部５００は移動体受信機向け放送のトランスポートストリームＴＳ１０２を選択してもかまわない。この場合、ステップＳＴ８０１の処理は、ステップＳＴ５０６の直前ではなくステップＳＴ５０４の処理の直前に行われる。つまり、映像信号選択部１０２が現在選択しているトランスポートストリームを切り替える前にステップＳＴ８０１の処理を行う。
【産業上の利用可能性】
【０１８４】
以上のように、この発明にかかる映像信号記録装置および方法は、空き容量が記録容量よりも小さいときに第１の符号化映像信号よりも圧縮率が高い第２の符号化映像信号によって映像番組を記録媒体に記録することにより空き容量が不足する場合でも全ての映像番組を記録媒体に記録するので、映像・音声データを記録媒体に記録する映像信号記録装置および方法等として有用である。
【図面の簡単な説明】
【０１８５】
【図１】この発明の第１の実施形態による映像信号記録装置の全体構成を示すブロック図である。
【図２】図１に示した映像信号記録装置の動作を示すフローチャートである。
【図３】図１に示した映像信号記録装置によって映像番組を記録媒体へ記録する具体例の１つである。
【図４】この発明の第２の実施形態による映像信号記録装置の全体構成を示すブロック図である。
【図５】予約情報番組の一例である。
【図６】図４に示した映像信号記録装置の動作を示すフローチャートである。
【図７】図４に示した映像信号記録装置によって映像番組を記録媒体へ記録する具体例の１つである。
【図８】この発明の第３の実施形態による映像信号記録装置の全体構成を示すブロック図である。
【図９】図８に示した映像信号記録装置の動作を示すフローチャートである。
【図１０】図８に示した映像信号記録装置によって映像番組を記録媒体へ記録する具体例の１つである。
【図１１】この発明の第４の実施形態による映像信号記録装置の全体構成を示すブロック図である。
【図１２】図１１に示した映像信号記録装置の動作を示すフローチャートである。
【図１３】この発明の第５の実施形態による映像信号記録装置の全体構成を示すブロック図である。
【図１４】図１３に示した映像信号記録装置の動作を示すフローチャートである。
【図１５】図１３に示した映像信号記録装置によって映像番組を記録媒体へ記録する具体例の１つである。
【図１６】図１３に示した映像信号記録装置の動作を示すタイミングチャートである。
【図１７】この発明の第６の実施形態による映像信号記録装置の全体構成を示すブロック図である。
【図１８】図１７に示した映像信号記録装置の動作を示すフローチャートである。
【図１９】図１７に示した映像信号記録装置の動作を示すタイミングチャートである。
【図２０】この発明の第７の実施形態による映像信号記録装置の全体構成を示すブロック図である。
【図２１】図２０に示した映像信号記録装置の動作を示すフローチャートである。
【図２２】図２０に示した映像信号記録装置の動作を示すタイミングチャートである。
【図２３】この発明の第８の実施形態による映像信号記録装置の全体構成を示すブロック図である。
【図２４】図２３に示した映像信号記録装置の動作を示すフローチャートである。
【図２５】図２３に示した映像信号記録装置の動作を示すタイミングチャートである。
【図２６】従来の記録・再生装置の全体構成を示すブロック図である。
【図２７】符号化映像信号が入力される場合での従来の記録・再生装置の全体構成を示すブロック図である。
【図２８】記録容量の算出方法（式１，２）を示した図である。
【図２９】記録容量の算出方法（式３，４）を示した図である。
【図３０】記録容量の算出方法（式５，６，７）を示した図である。
【符号の説明】
【０１８６】
１，２，３，４，５，６，７，８，    映像信号記録装置
ＴＳ１０１    固定受信機向け放送のトランスポートストリーム
ＴＳ１０２    移動体受信機向け放送のトランスポートストリーム
１００    入力部
１０１    映像信号抽出部
１０２    映像信号選択部
１０３    記録部
１０４    記録媒体
１０５    空き容量検出部
１０６    記録容量算出部
１０７    映像信号制御部
２００    予約番組情報記憶部
２０１    優先度記憶部
２０２    表示部
３００    優先度設定部
４００    延長時間取得部
５００    映像信号動的制御部
６００    ＣＭ検出部
７００    切替時間指定部
８００    ＧＯＰ検出部
【図１】
2005033622.tif 000003
【図２】
2005033622.tif 000004
【図３】
2005033622.tif 000005
【図４】
2005033622.tif 000006
【図５】
2005033622.tif 000007
【図６】
2005033622.tif 000008
【図７】
2005033622.tif 000009
【図８】
2005033622.tif 000010
【図９】
2005033622.tif 000011
【図１０】
2005033622.tif 000012
【図１１】
2005033622.tif 000013
【図１２】
2005033622.tif 000014
【図１３】
2005033622.tif 000015
【図１４】
2005033622.tif 000016
【図１５】
2005033622.tif 000017
【図１６】
2005033622.tif 000018
【図１７】
2005033622.tif 000019
【図１８】
2005033622.tif 000020
【図１９】
2005033622.tif 000021
【図２０】
2005033622.tif 000022
【図２１】
2005033622.tif 000023
【図２２】
2005033622.tif 000024
【図２３】
2005033622.tif 000025
【図２４】
2005033622.tif 000026
【図２５】
2005033622.tif 000027
【図２６】
2005033622.tif 000028
【図２７】
2005033622.tif 000029
【図２８】
2005033622.tif 000030
【図２９】
2005033622.tif 000031
【図３０】
2005033622.tif 000032